(57)【特許請求の範囲】
【請求項１】
液晶パネルと、複数の光源を含む前記液晶パネルのバックライトと、を含み、前記バックライトが発する光を用いて表示を行う表示装置であって、
前記液晶パネルの表示領域を、固定的に前記光源の光を当てて表示内容を視認できるようにして用いる領域である可視領域と、前記光源の光を当てないようにして表示に用いない領域である非表示領域とに分けるように、複数の前記光源のうち、前記非表示領域を照らす一部の前記光源は消灯し、
前記液晶パネルは、前記可視領域に収まるように画面、画像の表示を行い、
前記設定キーの表示位置をずらし、設定済みの前記設定キーの表示を消しても前記可視領域では表示内容を表示しきれないとき、複数の前記光源のうち、非表示領域を照らす一部又は全部の前記光源が点灯し、
前記液晶パネルは、広げられた前記可視領域で、画面、画像の表示を行うことを特徴とする表示装置。
【請求項２】
設定入力を受け付けるための入力部を有し、
前記入力部は、前記非表示領域の大きさを指定する入力を受け付け、
指定された大きさに応じ、前記光源のうち、前記非表示領域を照らす一部の前記光源は消灯することを特徴とする請求項１に記載の表示装置。
【請求項３】
前記入力部は、前記光源を消灯せず、前記液晶パネルの表示領域全体を前記可視領域とするか、あるいは、一部の前記光源を消灯して前記液晶パネルの表示領域のうち、１／ｎ（ｎは自然数）の領域を前記可視領域又は前記非表示領域とするかを選択する選択入力を受け付け、
それぞれの前記光源は、前記選択入力に応じて、点灯又は消灯することを特徴とする請求項２に記載の表示装置。
【請求項４】
前記液晶パネルの表示領域のうち、半分の領域を固定的に前記非表示領域とするように、一部の前記光源は、消灯することを特徴とする請求項１乃至３のいずれか１項に記載の表示装置。
【請求項５】
液晶パネルと、複数の光源を含む前記液晶パネルのバックライトと、を含み、前記バックライトが発する光を用いて表示を行う表示装置であって、
前記液晶パネルは、設定キーや、設定画面における前記設定キーを含む領域である前記キー表示領域の表示を行い、
表示する前記設定画面を遷移しても、前記液晶パネルの表示領域のうち、前記設定キーや前記キー表示領域を照らす一部の前記光源は点灯し、前記設定キーや前記キー表示領域以外の文字を含む領域を照らす一部の前記光源は消灯することを特徴とする表示装置。
【請求項６】
設定入力を受け付けるための入力部を有し、
前記入力部に対する入力により、設定がなされた前記キー表示領域を照らす一部の前記光源は消灯することを特徴とする請求項５記載の表示装置
【請求項７】
前記入力部は、前記光源を消灯せず、前記液晶パネルの表示領域全体を前記光源に照らさせるか、あるいは、前記設定キーや前記キー表示領域以外の領域を照射する前記光源を消灯するか、を選択する選択入力を受け付け、
複数の前記光源は、前記選択入力に応じて、点灯又は消灯することを特徴とする請求項６に記載の表示装置。
【請求項８】
請求項１乃至７のいずれか１項に記載の表示装置を備えたことを特徴とする画像形成装置。
【発明の詳細な説明】
【技術分野】
【０００１】
本発明は、液晶パネルやバックライトを備えた表示装置を含む複写機、複合機、プリンタ、ＦＡＸ装置等の画像形成装置に関する。
【背景技術】
【０００２】
例えば、複写機、複合機等の画像形成装置などでは、機能の設定入力等のため、表示装置を備えることがある（「操作パネル」と呼ばれることもある）。例えば、表示装置は、設定画面や入力用キーを表示するタッチパネル式の表示部を備える。このような表示装置では、使用者の知りたい情報が見やすく表示されることが望ましい。そこで、見やすく情報を表示しようとする表示装置が特許文献１に記載されている。
【０００３】
具体的に、特許文献１には、少なくとも、装置の状態を表示する表示部を具備した画像形成装置の表示装置において、画像形成装置の状態が変化した時に、前記表示部の表示状態を視覚的に判別しやすい状態に変化させる表示制御部を具備する画像形成装置が記載されている。具体的には、表示部の液晶表示によるバックライトの変化や、表示する表示文字を変化させて視覚的変化を得ようとする（特許文献１：請求項１、請求項３、請求項６等参照）。
【先行技術文献】
【特許文献】
【０００４】
【特許文献１】特開２００２−０３１９８７号公報
【発明の概要】
【発明が解決しようとする課題】
【０００５】
近年、環境意識やエネルギー問題に対する意識の高まりがある。そのため、画像形成装置でも消費電力を低減するための技術開発が行われている。又、画像形成装置を導入する際、需要者は、省エネ能力を大きく考慮して商品を選択する場合もある。そのため、画像形成装置の消費電力を低減し、省エネ能力の向上を図る必要があるという問題がある。
【０００６】
ここで、特許文献１記載の発明では、装置のアイドル時間やユーザの指示により省エネモードに移行するとバックライトが消灯される（特許文献１：段落［０１４８］、［０２０１］、図１６等参照）。一方、省エネモードに移行しない限り、背景色の点灯（バックライトの点灯）は続けられる（特許文献１：図１６、ステップ３０８参照）。従って、通常のモードでは、省電力効果はあまり得られないという問題がある。
【０００７】
又、特許文献１には、通常のモードで、各処理モード（プリンタモードやコピアモード等）に対応したバックライトの基準色を設定し、１つの処理モードで動作中、用いないバックライトを消灯し、消費電力低減を図る点は記載されている（特許文献１：段落［０２２８］等参照）。しかし、いずれかの色のバックライトは点灯され、液晶パネル全体に対し光が照射される。そのため、省電力効果を得難いという問題がある。
【０００８】
本発明は、上記の問題に鑑みたものであり、バックライトに含まれる光源の一部を消灯し、固定的又は変動的に表示領域の一部を非表示状態として、高い省エネ効果を得ることを課題とする。
【課題を解決するための手段】
【０００９】
上記課題解決のため請求項１に係る表示装置は、液晶パネルと、複数の光源を含む前記液晶パネルのバックライトと、を含み、前記バックライトが発する光を用いて表示を行う表示装置であって、前記液晶パネルの表示領域を、固定的に前記光源の光を当てて表示内容を視認できるようにして用いる領域である可視領域と、前記光源の光を当てないようにして表示に用いない領域である非表示領域とに分けるように、複数の前記光源のうち、前記非表示領域を照らす一部の前記光源は消灯し、前記液晶パネルは、前記可視領域に収まるように画面、画像の表示を行い、前記設定キーの表示位置をずらし設定済みの前記設定キーの表示を消しても前記可視領域では表示内容を表示しきれないとき、複数の前記光源のうち、非表示領域を照らす一部又は全部の前記光源が点灯し、前記液晶パネルは、広げられた前記可視領域で、画面、画像の表示を行うこととした。
【００１０】
この構成によれば、液晶パネルの表示領域は、固定的に、光源の光を当てて表示内容を視認できるようにして用いる領域である可視領域と、光源の光を当てないようにして表示に用いない領域である非表示領域とに分けるように、複数の光源のうち、非表示領域を照らす一部の光源は消灯する。これにより、液晶パネルの表示領域のうち、一部の領域に対応するバックライトは、消灯状態で維持される（固定される）。従って、確実に画像形成装置での消費電力の低減し、高い省エネ効果を得ることができる。また、この構成によれば、可視領域では表示内容を表示しきれないとき、複数の光源のうち、非表示領域を照らす一部又は全部の光源が点灯し、液晶パネルは、広げられた可視領域で画面、画像の表示を行う。これにより、可視領域だけでは表示しきれない場合、自動的に可視領域が広げられて画面、画像の表示が行われる。従って、使用者が設定などの入力を行う上での操作性、わかりやすさの低下を防ぐことができる。
【００１１】
又、請求項２に係る発明は、請求項１の発明において、設定入力を受け付けるための入力部を有し、前記入力部は、前記非表示領域の大きさを指定する入力を受け付け、指定された大きさに応じ、前記光源のうち、前記非表示領域を照らす一部の前記光源は消灯することとした。
【００１２】
この構成によれば、指定された大きさに応じ、光源のうち、非表示領域を照らす一部の光源は消灯する。これにより、液晶パネルの表示領域のうち、どれほどの領域に対して、バックライトの光源を点灯させ、表示に使用するかを使用者が定めることができる。従って、使用者が求める表示装置における表示の視認性と省エネ効果の兼ね合いに基づき、画面、画像を表示する領域を定めることができ、自由度が高い。
【００１３】
又、請求項３に係る発明は、請求項２の発明において、前記入力部は、前記光源を消灯せず、前記液晶パネルの表示領域全体を前記可視領域とするか、あるいは、一部の前記光源を消灯して前記液晶パネルの表示領域のうち、１／ｎ（ｎは自然数）の領域を前記可視領域又は前記非表示領域とするかを選択する選択入力を受け付け、それぞれの前記光源は、前記選択入力に応じて、点灯又は消灯することとした。
【００１４】
この構成によれば、入力部は、光源を消灯せず、液晶パネルの表示領域全体を可視領域とするか、あるいは、一部の光源を消灯して液晶パネルの表示領域のうち、１／ｎ（ｎは自然数）の領域を可視領域又は非表示領域とするかを選択する選択入力を受け付ける。これにより、液晶パネルの表示領域全体を活用するか、一部の領域でのみ表示を行わせて省電力効果を得るかを選択することができる。
【００１７】
又、請求項４に係る発明は、請求項１乃至３の発明において、前記液晶パネルの表示領域のうち、半分の領域を固定的に前記非表示領域とするように、一部の前記光源は、消灯することとした。
【００１８】
この構成によれば、液晶パネルの表示領域のうち、半分の領域を固定的に非表示領域とするように、非表示領域を照らす一部の光源は、消灯する。これにより、バックライトの全光源を点灯させた場合の消費電力に対し、消費電力を５０％程度は、低減される。又、液晶パネルのうち、１／２の領域は可視領域として確保できるので、画面、画像を表示も十分に行える。
【００１９】
又、請求項５に係る表示装置は、液晶パネルと、複数の光源を含む前記液晶パネルのバックライトと、を含み、前記バックライトが発する光を用いて表示を行う表示装置であって、前記液晶パネルは、設定キーや、設定画面における前記設定キーを含む領域である前記キー表示領域の表示を行い、表示する前記設定画面を遷移しても、前記液晶パネルの表示領域のうち、前記設定キーや前記キー表示領域を照らす一部の前記光源は点灯し、前記設定キーや前記キー表示領域以外の文字を含む領域を照らす一部の前記光源は消灯することとした。
【００２０】
この構成によれば、液晶パネルの表示領域のうち、キー表示領域を照らす一部の光源は点灯し、キー表示領域以外の領域を照らす一部の光源は消灯する。これにより、不要部分を照らす光源は消灯され、消費電力の低減を図ることができる。更に、操作を行う上で、必要な部分（キー表示領域）を使用者に視認させることもできる。従って、操作、設定入力のしやすさを損なうことなく省エネ効果を得ることができる。
【００２１】
又、請求項６に係る発明は、請求項５の発明において、設定入力を受け付けるための入力部を有し、前記入力部に対する入力により、設定がなされた前記キー表示領域を照らす一部の前記光源は消灯することとした。
【００２２】
この構成によれば、入力部に対する入力により、設定がなされたキー表示領域を照らす一部の光源は消灯する。これにより、設定済みのキー表示領域を照らす光源は消灯され、省エネ効果を得ることができる。又、未設定のキー表示領域を照らす光源は点灯し、未設定のキー表示領域は視認されるので設定ができること、設定がなされていないことが示されることになる。言い換えると次の操作、入力に必要なキーや画像を示すことができる。
【００２３】
又、請求項７に係る発明は、請求項６の発明において、前記入力部は、前記光源を消灯せず、前記液晶パネルの表示領域全体を前記光源に照らさせるか、あるいは、前記設定キーや前記キー表示領域以外の領域を照射する前記光源を消灯するか、を選択する選択入力を受け付け、複数の前記光源は、前記選択入力に応じて、点灯又は消灯することとした。
【００２４】
この構成によれば、入力部は、光源を消灯せず、液晶パネルの表示領域全体を光源に照らさせるか、あるいは、キー表示領域以外の領域を照射する光源を消灯するか、を選択する選択入力を受け付ける。これにより、液晶パネルの表示領域全体を活用するか、一部の領域のみ可視状態として省電力効果を得るかを選択することができる。
【００２５】
又、請求項８に係る画像形成装置は、請求項１乃至７のいずれか１項に記載の表示装置を備えることとした。
【００２６】
この構成によれば、省エネ効果の高い表示装置を含むので、消費電力が低減された画像形成装置を提供することができる。
【発明の効果】
【００２７】
上述したように、本発明によれば、固定的又は変動的に表示領域の一部を非表示状態として、高い省エネ効果を得ることができる。
【図面の簡単な説明】
【００２８】
【図１】第１実施形態の複合機の一例を示す正面模型的断面図である。
【図２】第１実施形態に係る操作パネル１の一例を示す平面図である。
【図３】第１実施形態の複合機のハードウェア構成の一例を示すブロック図である。
【図４】第１実施形態の操作パネルのハードウェア構成の一例を示すブロック図である。
【図５】第１実施形態に係るバックライト６の一例を示す説明図であり、（ａ）は光源に蛍光管を用いる場合の一例を示し、（ｂ）は光源にＬＥＤを用いる場合の一例を示す。
【図６】第１実施形態に係る点消灯設定画面の一例を示す説明図である。
【図７】第１実施形態に係る点消灯設定画面での設定によるバックライトの点消灯状態の一例を示す説明図である。
【図８】第１実施形態に係る全点灯モードの設定画面の表示の一例を示す説明図である。
【図９】第１実施形態に係る一部消灯モードでの設定画面の表示の一例を示す説明図である。
【図１０】第１実施形態の操作パネルの表示制御の一例を示すフローチャートである。
【図１１】第２実施形態に係る一部消灯モードでの設定画面の表示の一例を示す。
【図１２】第２実施形態の操作パネルでの表示制御の一例を示すフローチャートである。
【発明を実施するための形態】
【００２９】
以下、本発明の第１の実施形態を図１〜図１０を用いて説明する。ここで、本実施形態では、操作パネル１（表示装置に相当）を含む複合機１００（画像形成装置に相当）を例に挙げて説明する。但し、本実施の形態に記載されている構成、配置等の各要素は、発明の範囲を限定するものではなく単なる説明例にすぎない。
【００３０】
（複合機１００の概略）
まず、図１を用い、本発明の第１の実施形態に係る複合機１００の概略を説明する。図１は、第１の実施形態に係る複合機１００の一例を示す正面模型的断面図である。
【００３１】
まず、図１に示すように、複合機１００の正面前方には、複合機１００に関して各種設定を行うための操作パネル１が設けられる（波線で図示、詳細は後述）。そして、上部に画像読取部２Ａと原稿搬送装置２Ｂが設けられる。又、複合機１００は、本体内部に給紙部３Ａ、搬送路３Ｂ、画像形成部４、中間転写部４Ｂ、定着部４Ｃ等を含む。
【００３２】
原稿搬送装置２Ｂは、読み取る原稿を載置する原稿トレイ２１を有する。そして、原稿搬送装置２Ｂは、原稿トレイ２１から原稿を１枚ずつ、自動的に連続して読取位置（送り読取用コンタクトガラス２２）に搬送する。又、原稿搬送装置２Ｂは、図１の紙面奥側を支点として画像読取部２Ａに上下方向に開閉自在に取り付けられ、画像読取部２Ａのコンタクトガラス（送り読取用コンタクトガラス２２及び載置読取用コンタクトガラス２３）を上方から押さえるカバーとして機能する。
【００３３】
次に、画像読取部２Ａは、図１に示すように、上面に送り読取用コンタクトガラス２２と書籍等の原稿を１枚ずつ読み取る際に原稿を載置する載置読取用コンタクトガラス２３を含む。画像読取部２Ａ内には、ランプ、ミラー、レンズ、イメージセンサ等（不図示）が配される。イメージセンサは、送り読取用コンタクトガラス２２を通過する原稿、あるいは、載置読取用コンタクトガラス２３に載置された原稿の反射光を元に、原稿を読み取る。そして、イメージセンサは、反射光を画像濃度に応じたアナログの電気信号に変換し、その後、量子化を行い、その結果、原稿の画像データが得られる。尚、本実施形態の画像読取部２Ａは、カラーでも白黒でも読み取り可能である。
【００３４】
複合機１００本体内の複数の給紙部３Ａは、それぞれ、各サイズ（例えば、Ａ４、Ｂ４等のＡ型、Ｂ型用紙等）、各種用紙（例えば、コピー用紙、再生紙、厚紙、ＯＨＰシート等）を複数枚収容する。各給紙部３Ａは、それぞれ回転駆動する給紙ローラ３１を備える。印刷時、いずれかの給紙部３Ａは、１枚ずつ搬送路３Ｂに用紙を送り込む。
【００３５】
搬送路３Ｂは、給紙部３Ａから画像形成部４等に向けて、装置内で用紙を搬送する通路である。そして、搬送路３Ｂには、用紙の案内のためのガイド板や、用紙搬送時に回転駆動する搬送ローラ対３２、３３、３４や、搬送される用紙を画像形成部４の手前で待機させ、形成されたトナー像の転写タイミングに合わせ用紙を送り出すレジストローラ対３５等が設けられる。
【００３６】
画像形成部４は、複数の画像形成ユニット４０（ブラック用の４０Ｂｋ、イエロー用の４０Ｙ、シアン用の４０Ｃ、マゼンタ用の４０Ｍ）と露光装置４１を含む。露光装置４１は、画像読取部２Ａで読み取られた画像データや後述の記憶装置８２に記憶される画像データ等に基づき、レーザ光を点消灯しつつ出力し、各感光体ドラムを走査露光する。画像形成ユニット４０は、回転駆動可能に支持された感光体ドラムや、感光体ドラムの周囲に配設された帯電装置、現像装置、清掃装置等を備える。そして、各画像形成ユニット４０と露光装置４１によって、感光体ドラムの周面上にトナー像が形成される。
【００３７】
中間転写部４Ｂは、各画像形成ユニット４０からトナー像の１次転写を受け、シートに２次転写を行う。中間転写部４Ｂは、各１次転写ローラ４２Ｂｋ〜４２Ｍ、中間転写ベルト４３、駆動ローラ４４、複数の従動ローラ４５、２次転写ローラ４６、ベルト清掃装置４７等で構成される。各１次転写ローラ４２Ｂｋ〜４２Ｍは、対応する感光体ドラムと無端状の中間転写ベルト４３を挟み込む。各１次転写ローラ４２Ｂｋ〜４２Ｍには、転写用電圧が印加され、トナー像は中間転写ベルト４３に転写される。
【００３８】
中間転写ベルト４３は、駆動ローラ４４等に張架され、モータ等の駆動機構（不図示）に接続される駆動ローラ４４の回転駆動により周回する。又、駆動ローラ４４は、２次転写ローラ４６とで中間転写ベルト４３を挟み込む。各画像形成ユニット４０で形成されたトナー像（ブラック、イエロー、シアン、マゼンタの各色）は、順次、ずれなく重畳して中間転写ベルト４３に１次転写された後、所定の電圧を印加された２次転写ローラ４６により、シートに転写される。
【００３９】
定着部４Ｃは、用紙に転写されたトナー像を定着させる。定着部４Ｃは、例えば、発熱体を内蔵する加熱ローラ４８とこれに圧接する加圧ローラ４９で構成される。用紙が、加熱ローラ４８と加圧ローラ４９のニップを通過すると、トナーが溶融・加熱され、トナー像が用紙に定着する。そして、印刷済み用紙は排出トレイ３６に排出される。
【００４０】
（操作パネル１の概要）
次に、図１、図２を用い、本発明の第１の実施形態に係る操作パネル１の一例を説明する。図２は本発明の第１の実施形態に係る操作パネル１の一例を示す平面図である。
【００４１】
操作パネル１（表示装置に相当）は、図１に示すように、複合機１００の正面上方に設けられる。操作パネル１は、液晶表示部５を有する。液晶表示部５は、例えば、バックライト６と液晶パネル７からなる（詳細は後述）。液晶表示部５は、複合機１００の設定を行うためのメニュー、キー（図５等参照）を表示する。又、液晶表示部５は、複合機１００等の状態のメッセージ等の各種画像、画面を表示する。使用者は、液晶表示部５に表示されたキーを押下し、複合機１００のコピーにおける各種設定や動作指示を行える。
【００４２】
そして、液晶表示部５の上面にタッチパネル部１１（入力部に相当）が設けられる。タッチパネル部１１は、液晶表示部５のうち、使用者に押下された部分の位置、座標を検出するためのものである。このタッチパネル部１１を用いた検出座標と、液晶表示部５に示される各種キーの位置、座標を比較し、使用者が押下したキーが特定される。尚、タッチパネル部１１としては、抵抗膜方式、表面弾性波方式、赤外線方式、静電容量方式等、各方式のものを採用でき特に制限はない。
【００４３】
又、操作パネル１には、以下のようなハードとしてのキー（ボタン）が設けられる。例えば、各種設定後、コピー等のジョブ開始指示用のスタートキー１２や、数字入力用のテンキー部１３等が設けられる。又、コピー機能を利用する際に押下されるコピーキー１４、スキャナ機能、ＦＡＸ機能を利用する際に押下される送信キー１５等が設けられる。このように、操作パネル１には、タッチパネル部１１や各種ハードキーが備えられる。そして、タッチパネル部１１や各種ハードキーは、複合機１００の各機能について、各種設定やモード選択等を行う入力部として機能する。
【００４４】
（複合機１００等のハードウェア構成）
次に、図３を用いて、本発明の第１の実施形態に係る複合機１００のハードウェア構成の一例を説明する。図３は、本発明の第１の実施形態に係る複合機１００のハードウェア構成の一例を示すブロック図である。
【００４５】
まず、複合機１００の本体側から説明する。複合機１００本体内には、制御部８が設けられる。制御部８は、例えば、原稿搬送装置２Ｂ、画像読取部２Ａ、給紙部３Ａ、搬送路３Ｂ、画像形成部４、定着部４Ｃ等と接続され、これらの制御を行う。
【００４６】
又、制御部８は、操作パネル１と接続され、操作パネル１になされた入力内容を認識する。制御部８は、入力された設定内容に沿うように各部の動作を制御する。例えば、操作パネル１で、使用する給紙部３Ａを指定してコピーする旨が設定されると、制御部８は、指定された給紙部３Ａから給紙を行わせる。又。操作パネル１で指定された送信先に、制御部８は通信部８３から画像データを送信させる。
【００４７】
制御部８は、例えば、ＣＰＵ８１等の制御、処理用の素子を含む。ＣＰＵ８１は記憶装置８２（記憶部に相当）に格納され、展開される制御プログラムに基づき演算等を行い、複合機１００の各部を制御する。尚、制御部８は、全体制御や画像処理を行うメイン制御部や、画像形成や各種回転体を回転させるモータ等のＯＮ／ＯＦＦ等を行い、印刷を制御するエンジン制御部等、機能ごとに分割して複数種設けられてもよい。本説明ではこれらを１つとしてまとめた形態を示し、説明する。
【００４８】
記憶装置８２は、制御部８と接続される。記憶装置８２は、ＲＯＭ、ＲＡＭ、ＨＤＤ等の不揮発性と揮発性の記憶装置８２を組み合わせて構成される。記憶装置８２は、複合機１００の制御用プログラム、制御用データ、設定データ、画像データ等の各種データを記憶できる。
【００４９】
又、例えば、制御部８には、画像読取部２Ａで原稿を読み取って得られた画像データや通信部８３を介して複合機１００に入力された画像データに対し、画像処理を施す画像処理部８４が設けられる。例えば、画像処理部８４は、集約印刷の設定がなされてコピーが行われた場合、画像読取部２Ａでの原稿読み取りにより得られた画像データの縮小や回転処理を行い、複数の原稿を１ページに落とし込んだ画像データを生成する。画像処理部８４が処理した画像データは、例えば、露光装置４１に送信され、感光体ドラムの走査・露光に用いられる。又は、通信部８３に送信され、外部に発信される。
【００５０】
そして、制御部８は、各種コネクタ、ソケットやＦＡＸモデム等を備えた通信インターフェイスとしての通信部８３と接続される。通信部８３はネットワークや公衆回線等により複数の外部のコンピュータ２００（例えば、パーソナルコンピュータ）や相手方ＦＡＸ装置３００（図７では、いずれも便宜上１つのみ図示）と接続される。例えば、画像読取部２Ａで得られた画像データを記憶装置８２に記憶させることや、外部のコンピュータ２００や相手方ＦＡＸ装置３００に送信することができる（スキャナ機能、ＦＡＸ機能）。又、外部のコンピュータ２００や相手方ＦＡＸ装置３００から送信され、複合機１００に入力される画像データに基づき印刷、ＦＡＸ送信等を行うこともできる（プリンタ機能、ＦＡＸ機能）。
【００５１】
（操作パネル１のハードウェア構成）
次に、図４、図５を用いて、本発明の第１の実施形態に係る操作パネル１のハードウェア構成の一例を説明する。図４は、本発明の第１の実施形態に係る操作パネル１のハードウェア構成の一例を示すブロック図である。図５は、本発明の第１の実施形態に係るバックライト６の一例を示す説明図であり、（ａ）は光源に蛍光管６１を用いる場合の一例を示し、（ｂ）は光源にＬＥＤ６３を用いる場合の一例を示す。
【００５２】
本実施形態の操作パネル１は、表示制御部９、メモリ９１（記憶部に相当）、スタートキー１２、テンキー部１３、コピーキー１４、送信キー１５、タッチパネル部１１、液晶表示部５、Ｉ／Ｆ部９２を含む。
【００５３】
表示制御部９は、ＣＰＵやＩＣ等で構成され、液晶表示部５の表示を制御する。又、表示制御部９は、タッチパネル部１１の出力を受け、液晶表示部５で押下された座標を特定する。例えば、タッチパネル部１１の出力と座標の対応を示すテーブル等のデータはメモリ９１に記憶される。表示制御部９は、押下位置の座標と各設定画面の画像データを比較する等により、設定画面上で選択された（押下された）キーを特定、認識する。又、表示制御部９は、スタートキー１２、テンキー部１３、コピーキー１４、送信キー１５と接続され、キーが押されたことを認識する。
【００５４】
そして、液晶表示部５が表示する画面、画像の画像データは、例えば、操作パネル１内のメモリ９１に記憶される。従って、表示制御部９は、設定項目の選択画面や各設定画面中のキーが押下されるごとに、表示制御部９は次に表示すべき画面の画像データをメモリ９１から読み出す。
【００５５】
具体的に、複合機１００の各機能の設定項目を選択し、設定値を設定するには液晶表示部５における最上層の表示から、液晶表示部５に表示されるキーの選択を繰り返す。そして、キー選択ごとに、表示制御部９は、液晶表示部５の表示を切り換えさせ、最終的に、選択、設定しようとする機能の設定値が設定される。表示制御部９は、この機能の選択、設定が行われたことを認識し、その内容を本体の制御部８に送信する。これにより、制御部８は、操作パネル１で選択、設定された機能を反映した動作を画像形成部４等の各部に行わせる。
【００５６】
尚、液晶表示部５が表示する画面、画像の画像データは、例えば、本体側の記憶装置８２に記憶させてもよい。この場合、操作パネル１は、画像データを制御部８を介し、記憶装置８２から受信する。表示制御部９は、画像データを受け、液晶表示部５に表示を行わせる。尚、操作パネル１には、表示制御部９やメモリ９１を設けず、表示制御部９、メモリ９１の機能を制御部８の構成（ＣＰＵ８１や記憶装置８２）に代用させても良い。
【００５７】
Ｉ／Ｆ部９２は、操作パネル１の表示制御部９が、本体の制御部８と通信を行うための回路である。例えば、表示制御部９は、本体の制御部８に向けて設定内容を伝える。又、本体の制御部８は、表示制御部９に向けて表示すべき画面、画像を指示する（例えば、エラー発生画面）。
【００５８】
次に、液晶表示部５を説明する。液晶表示部５は、液晶パネル７、液晶パネル７を実際に駆動させるドライバ回路７０、複数の光源を含むバックライト６、バックライト６に含まれる各光源の点消灯を制御する点灯制御部６０を含む。
【００５９】
例えば、液晶パネル７は、偏光板、カラーフィルタ、液晶層、透明電極、ガラス基板等が層状に重ね合わされたものである。例えば、本実施形態の液晶パネル７は、バックライト６に含まれる光源の光を部分的に遮ったり透過させたりして表示を行なう。ドライバ回路７０は、表示すべき画像、画面の画像データに基づき、液晶パネル７の各画素への電圧印加を制御する。
【００６０】
次に、図４及び図５を用いて、バックライト６、点灯制御部６０、光源を説明する。図４に示すように、バックライト６には、複数の光源が含まれる。光源としては、図５（ａ）に示すように、蛍光管６１を用いることができる。
【００６１】
光源としての蛍光管６１は、例えば、冷陰極管であるが、ハロゲンランプ等の他の光源を用いてもよい。そして、本実施形態の操作パネル１では、蛍光管６１が４つ、液晶パネル７の直下に置かれる（左側から６１Ａ、６１Ｂ、６１Ｃ、６１Ｄの符号を付す。）。例えば、蛍光管６１は、長手方向と液晶パネル７の上下方向とが一致するように設けられる。又、点灯制御部６０は、各蛍光管６１を点灯させるためのインバータ６２を各蛍光管６１に対し１つ含む（左側から６２Ａ、６２Ｂ、６２Ｃ、６２Ｄの符号を付す）。このように、点灯制御部６０には、光源点灯用の回路を含むことができる。
【００６２】
１本の蛍光管６１は、液晶パネル７の表示領域のうち、短冊状の約１／４の領域について、液晶パネル７の後方から光を照射する。点灯制御部６０が、全てのインバータ６２に蛍光管６１を点灯させれば、液晶パネル７の全面に後方から光が照射され、液晶パネル７の全面を用いて表示を行える。一方、蛍光管６１の一部を消灯させ、液晶パネル７の一部分のみを用いて表示を行うこともできる。例えば、点灯制御部６０は、蛍光管６１Ａ、蛍光管６１Ｂを点灯させ、蛍光管６１Ｃ、蛍光管６１Ｄを消灯させて、液晶パネル７の左半面のみを用いた表示を行える。
【００６３】
又、本実施形態の操作パネル１では、バックライト６には、複数の光源が含まれるところ、光源としては、図５（ｂ）に示すように、ＬＥＤ６３を用いることもできる。例えば、ＬＥＤ６３は、白色を発光する。
【００６４】
光源として、ＬＥＤ６３の他、ＥＬ（Electroluminescence）を用いることもできる。そして、ＬＥＤ６３を用いる場合、液晶パネル７の直下に、ｍ個（ｍは整数）×ｎ個（ｎは整数）の各光源としてのＬＥＤ６３が置かれる。液晶パネル７の後方全面に光を照射することができるだけ、ｍ個×ｎ個のＬＥＤ６３が設けられる。又、点灯制御部６０は、各ＬＥＤ６３と接続され、各ＬＥＤ６３の点消灯のスイッチングを行い、１個単位で点消灯を制御できる。
【００６５】
点灯制御部６０が、全ＬＥＤ６３を点灯させれば、液晶パネル７の全面に後方から光が照射され、液晶パネル７の全面を用いて表示を行える。一方、蛍光管６１の一部を消灯させ、液晶パネル７の一部分のみを用いて表示を行うこともできる。例えば、点灯制御部６０は、液晶パネル７において、左半分を照射するＬＥＤ６３のみを点灯させ（例えば、ｍ×１／２ｎ個のＬＥＤ６３を点灯）液晶パネル７の左半面のみを用いた表示を行える。尚、ＬＥＤ６３を用いたバックライト６の方が、光源の大きさや照射範囲との関係上、非表示とする領域の大きさを細かく設定できる。
【００６６】
尚、第１の実施形態に係る発明は、ＬＥＤ６３を用いたバックライト６でも実現できるが、以下の第１の実施形態の説明では、蛍光管６１Ａ〜６１Ｄを含むバックライト６を用いるものとして説明する。尚、後述の第２の実施形態では、ＬＥＤ６３を含むバックライト６を用いるものとして説明する。
【００６７】
（バックライト６の点消灯設定）
次に、図６及び図７に基づき、本発明の第１の実施形態に係る操作パネル１でのバックライト６の点消灯設定の一例を説明する。図６は、本発明の第１の実施形態に係るバックライト６の点消灯設定画面Ｓ１の一例を示す説明図である。図７は、本発明の第１の実施形態に係る点消灯設定画面Ｓ１での設定によるバックライト６の点消灯状態の一例を示す説明図である。
【００６８】
使用者は、操作パネル１を操作し（各種ハードキーやタッチパネル部１１の押下）、バックライト６の各光源の点消灯設定を行うための点消灯設定画面Ｓ１を表示させることができる。この点消灯設定画面Ｓ１では、点灯させる光源、消灯させる光源を設定することができる。
【００６９】
まず、点消灯設定画面Ｓ１には、例えば、設定入力を完了し、以後の操作パネル１（液晶パネル７）での表示に設定を反映させる際に押されるＯＫキーＫ１が設けられる。ＯＫキーＫ１が押下されると、例えば、表示制御部９は、メモリ９１に点消灯設定画面Ｓ１での設定内容を記憶させ、記憶した内容に応じた表示制御を行う。尚、キャンセルキーＫ２は設定を取りやめる際に押下される。
【００７０】
そして、点消灯設定画面Ｓ１には、全点灯キーＫ３、１／２点灯キーＫ４、１／４点灯キーＫ５、１／４消灯キーＫ６が設けられる。液晶パネル７の表示領域全体を用いて表示を行い、見やすさを優先する場合、全点灯キーＫ３が押下される。全点灯キーＫ３が押下され、ＯＫキーＫ１が押下されると、以後、表示制御部９は、点灯制御部６０に指示を与え、蛍光管６１Ａ〜６１Ｄの全てを点灯させる。
【００７１】
尚、全点灯キーＫ３が押され、バックライト６の光源の全てを点灯させる設定がなされた状態を以下では、「全点灯モード」と称する。
【００７２】
この全点灯モードでの液晶表示部５の表示の一例を図７（ａ）に示す。バックライト６の光源を全て点灯させる設定がなされると、図７（ａ）に示すように、液晶パネル７の表示領域全体に対し光が照らされる。従って、液晶パネル７の表示領域全体が可視領域Ｆ１として利用される（実際には、可視領域Ｆ１に何らかの画像、画面が表示される）。例えば、表示制御部９は、液晶パネル７の表示領域全体を用いた表示を行える画像データをドライバ回路７０に与え、液晶パネル７を駆動させる。
【００７３】
尚、「可視領域Ｆ１」とは、バックライト６の光源からの光が照らされることで、液晶パネル７で表示内容が視認できる領域である。可視領域Ｆ１は、表示を行う領域として用い得る領域である。
【００７４】
又、バックライト６の光源からの光が照らされず、表示内容が視認できないため、液晶パネル７で使用しない領域を「非表示領域Ｆ２」と呼ぶ（図７以下の図において格子状網掛けで図示）。言い換えると、非表示領域Ｆ２は、可視領域Ｆ１以外の領域である。
【００７５】
次に、１／２点灯キーＫ４は、バックライト６に含まれる蛍光管６１のうち、隣り合う２本の蛍光管６１を点灯させる設定を行う際に押下される。隣り合う２本の蛍光管６１を点灯させる設定がなされると、以後、図７（ｂ）に示すように、表示制御部９は、点灯制御部６０に指示を与え、蛍光管６１Ａ〜６１Ｄのうち、隣り合う２本の蛍光管６１を点灯させる（図７（ｂ）は、蛍光管６１Ａと蛍光管６１Ｂを点灯）。これにより、図７（ｂ）に示すように、液晶パネル７の表示領域のうち、約半分が可視領域Ｆ１として利用される（実際には、可視領域Ｆ１に何らかの画像、画面が表示される）。例えば、表示制御部９は、可視領域Ｆ１内に収まるように加工された画像データをドライバ回路７０に与え、液晶パネル７を駆動させる。
【００７６】
ここで、液晶パネル７の表示領域全体のうち、約半分が可視領域Ｆ１として利用する場合、点灯させる蛍光管６１の組み合わせとしては、３通りある。そこで、例えば、点灯させる蛍光管６１の組み合わせを決めるための３つのキーが、点消灯設定画面Ｓ１に設けられる。具体的に、例えば、右キーＫ７（蛍光管６１Ｃと蛍光管６１Ｄのみ点灯）、左キーＫ８（蛍光管６１Ａと蛍光管６１Ｂのみ点灯）、中央キーＫ９（蛍光管６１Ｂと蛍光管６１Ｃのみ点灯）の３つのキーが１／２点灯キーＫ４に関連するキーとして設けられる。尚、一部の蛍光管６１（蛍光管６１Ａや蛍光管６１Ｄ）が点灯しなくなっても、設定画面を表示できる利点もある。
【００７７】
ＯＫキーＫ１が押されると、右キーＫ７、左キーＫ８、中央キーＫ９のうち、押されたキーに対応する蛍光管６１のみを点灯させる設定がメモリ９１に記憶される。そして、以後の表示では、表示制御部９は、点灯制御部６０に蛍光管６１Ａ〜６１Ｄのうち、いずれかの隣り合う２本の蛍光管６１を点灯する指示を与える。
【００７８】
尚、点消灯設定画面Ｓ１で全点灯キーＫ３以外のキーが押され、バックライト６の光源のうち一部の光源を消灯させる設定がなされた状態を以下では、「一部消灯モード」と称する。
【００７９】
次に、１／４点灯キーＫ５は、バックライト６に含まれる蛍光管６１のうち、１本の蛍光管６１を点灯させる際に押下される。１／４点灯キーＫ５により、１本の蛍光管６１を点灯させる設定がなされると、以後、図７（ｃ）に示すように、表示制御部９は、点灯制御部６０に指示を与え、蛍光管６１Ａ〜６１Ｄのうち、１本のみ蛍光管６１を点灯させる（図７（ｃ）の場合は、蛍光管６１Ａのみ点灯）。これにより、図７（ｃ）に示すように、液晶パネル７の表示領域のうち、約１／４が可視領域Ｆ１として利用される。例えば、表示制御部９は、可視領域Ｆ１内に収まるように加工された画像データをドライバ回路７０に与え、液晶パネル７を駆動させる。
【００８０】
ここで、表示領域全体のうち、約１／４を可視領域Ｆ１として利用する場合、点灯させる蛍光管６１のパターンは、４通りある。そこで、例えば、点灯させる蛍光管６１を決めるための４つのキーが、点消灯設定画面Ｓ１に設けられる。具体的に、例えば、左端キーＫ１０（蛍光管６１Ａに対応）、左中キーＫ１１（蛍光管６１Ｂに対応）、右中キーＫ１２（蛍光管６１Ｃに対応）、右端キーＫ１３（蛍光管６１Ｄに対応）の４つのキーが１／４点灯キーＫ５に関連するキーとして設けられる。
【００８１】
そして、左端キーＫ１０、左中キーＫ１１、右中キーＫ１２、右端キーＫ１３のうち、いずれかのキーが押されてＯＫキーＫ１が押されると、押されたキーに対応する蛍光管６１のみを点灯させる設定がメモリ９１に記憶される。この場合、表示制御部９は、点灯制御部６０に蛍光管６１Ａ〜６１Ｄのいずれかの蛍光管６１を点灯する指示を与える。
【００８２】
次に、１／４消灯キーＫ６は、バックライト６に含まれる蛍光管６１のうち、１本の蛍光管６１を消灯させる際に押下される。１／４消灯キーＫ６により、１本の蛍光管６１を消灯させる設定がなされると、以後、図７（ｄ）に示すように、表示制御部９は、点灯制御部６０に指示を与え、蛍光管６１Ａ〜６１Ｄのうち、１本のみ蛍光管６１を消灯させる（図７（ｄ）の場合は、蛍光管６１Ｄのみ消灯）。これにより、図７（ｄ）に示すように、液晶パネル７の表示領域のうち、約１／４が非表示領域Ｆ２となる。例えば、表示制御部９は、可視領域Ｆ１内に収まるように加工された画像データをドライバ回路７０に与え、液晶パネル７を駆動させる。
【００８３】
ここで、液晶パネル７の表示領域全体のうち、約１／４を非表示領域Ｆ２とする場合、消灯可能な蛍光管６１の位置は、右端（蛍光管６１Ｄ）又は左端（蛍光管６１Ａ）の２通りとされる。そこで、例えば、点灯させる蛍光管６１を決めるための２つのキーが、点消灯設定画面Ｓ１に設けられる。具体的に、例えば、左端キーＫ１４（蛍光管６１Ａに対応）、右端キーＫ１５（蛍光管６１Ｄに対応）の２つのキーが１／４消灯キーＫ６に関連するキーとして設けられる。
【００８４】
そして、左端キーＫ１４、右端キーＫ１５のうち、いずれかのキーが押された状態でＯＫキーＫ１が押されると、押されたキーに対応する蛍光管６１のみを消灯させる設定がメモリ９１に記憶される。この場合、表示制御部９は、点灯制御部６０に蛍光管６１Ａと蛍光管６１Ｄのうち、いずれかの蛍光管６１を消灯させる指示を与える。
【００８５】
即ち、表示装置（操作パネル１）は、設定入力を受け付けるための入力部（タッチパネル部１１等）を有し、入力部は、非表示領域Ｆ２の大きさを指定する入力を受け付け、指定された大きさに応じ、光源のうち、非表示領域Ｆ２を照らす一部の光源は消灯する。又、入力部は、光源を消灯せず、液晶パネル７の表示領域全体を可視領域Ｆ１とするか、あるいは、一部の光源を消灯して液晶パネル７の表示領域のうち、１／ｎ（ｎは自然数）の領域を可視領域Ｆ１又は非表示領域Ｆ２とするかを選択する選択入力を受け付け、それぞれの光源は、選択入力に応じて、点灯又は消灯する。
【００８６】
（設定画面の表示）
次に、図８及び図９を用い、本発明の第１の実施形態に係る操作パネル１での設定画面の表示の一例を説明する。図８は、本発明の第１の実施形態に係るバックライト６の全点灯モードでの設定画面の表示の一例を示す説明図である。図９は、本発明の第１の実施形態のバックライト６の一部消灯モードでの設定画面の表示の一例を示す説明図である。
【００８７】
尚、本例では、コピー機能における集約機能の設定項目の設定を行う際に表示される設定画面を例に挙げて説明する。尚、集約機能は、複数枚の原稿を１ページに集約させて印刷する機能である。
【００８８】
まず、図８は、点消灯設定画面Ｓ１で、バックライト６の全てを点灯させる設定がなされた場合（全点灯モードの設定がなされた場合）の集約機能の設定画面の遷移を示している。言い換えると、従来どおりの表示である。
【００８９】
図８のうち、最上段に示す画面は、設定項目を選択するためのメニュー画面Ｓ２である。表示制御部９は、例えば、コピーキー１４が押されると、メニュー画面Ｓ２を液晶パネル７に表示させる。例えば、メニュー画面Ｓ２には、集約の設定項目の設定開始を指示するための集約キーＫ１６が設けられる。尚、コピーに関し、設定可能な設定項目（機能）は、多数に及ぶので、上矢印キーＫ１６１や下矢印キーＫ１６２を押すことにより、異なる設定項目（機能）を示すキーを表示させることができる。
【００９０】
集約キーＫ１６が押下されると、表示制御部９は、図８における上から２段目の集約設定画面Ｓ３を液晶パネル７に表示させる。集約設定画面Ｓ３では、まず、設定キーとして、ＯＮキーＫ１７とＯＦＦキーＫ１８が表示される。ＯＮキーＫ１７は、集約機能を用いる場合に押される。ＯＦＦキーＫ１８は集約機能を用いない場合に押される。尚、ＯＦＦキーＫ１８が押されると、その他に設定する内容はないので、例えば、メニュー画面Ｓ２に戻る。
【００９１】
ＯＮキーＫ１７が押されると、表示制御部９は、図８における上から３段目に示すように、集約数設定領域Ｆ３を液晶パネル７に表示させる。この集約数設定領域Ｆ３は、集約させる原稿の枚数を設定するための設定キーを含むキー表示領域である。集約数設定領域Ｆ３内には、設定キーとして、「２ｉｎ１キーＫ１９」と「４ｉｎ１キーＫ２０」が配される。２ｉｎ１キーＫ１９は、２枚の原稿をそれぞれ縮小して１枚の用紙にコピーする際に押される。４ｉｎ１キーＫ２０は、４枚の原稿をそれぞれ縮小して１枚の用紙にコピーする際に押される。
【００９２】
尚、キー表示領域は、１つ又は複数の設定キーを含む領域である。本実施形態の操作パネル１では、１つのキー表示領域内で設定キーが押されるごとに、次のキー表示領域が順番に表示される（例えば、集約機能の設定では、集約数設定領域Ｆ３→レイアウト設定領域Ｆ４）。
【００９３】
そして、例えば、２ｉｎ１キーＫ１９が押されると、表示制御部９は、図８における最下段の図に示すように、レイアウト設定領域Ｆ４（キー表示領域に相当）を液晶パネル７に表示させる。このレイアウト設定領域Ｆ４は、印刷物でのページの配置の設定用キーを含むキー表示領域である（左→右キーＫ２１と右→左キーＫ２２の設定キーを含む）。レイアウト設定領域Ｆ４内の左→右キーＫ２１は、２枚の原稿のうち、前のページを印刷物の左側に配する際に押される。右→左キーＫ２２は、２枚の原稿のうち、後のページを印刷物の左側に配する際に押される。尚、４ｉｎ１キーＫ２０が押されたときは、異なるレイアウト設定領域Ｆ４が表示される。レイアウトの設定がなされると、例えば、メニュー画面Ｓ２に戻ってもよいし、ページの境界等を定めるため、更に別の設定領域が表示されてもよい。
【００９４】
次に、図９を用いて、点消灯設定画面Ｓ１で、バックライト６の一部を消灯する設定がなされた場合（一部消灯モードの設定がなされた場合）の集約機能の設定画面の遷移を説明する。尚、本説明では、蛍光管６１Ｃと蛍光管６１Ｄを消灯して、液晶パネル７の表示領域のうち、右半分の領域を非表示領域Ｆ２とし、左半分（右半分でもよい）を可視領域Ｆ１とする設定がなされた場合を説明する。即ち、この場合、液晶パネル７の表示領域のうち、半分の領域を固定的に非表示領域Ｆ２とするように、一部の光源は、消灯する。
【００９５】
図９のうち、最上段に示す画面は、設定項目を選択するためのメニュー画面Ｓ２である。表示制御部９は、全点灯モードと同様に、例えば、コピーキー１４が押されると、メニュー画面Ｓ２を液晶パネル７に表示させる。メニュー画面Ｓ２には、全点灯モードと同様に、集約の設定項目の設定開始を指示するための集約キーＫ１６等が設けられる。ただし、表示制御部９は、全点灯モードとは、各キーの表示位置をずらし、可視領域Ｆ１に収まるようにキーを表示させる
【００９６】
集約キーＫ１６が押下されると、表示制御部９は、図９における上から２段目の集約設定画面Ｓ３を液晶パネル７に表示させる。集約設定画面Ｓ３では、全点灯モードと同様に、一部消灯モードでも、まず、ＯＮキーＫ１７とＯＦＦキーＫ１８が表示される。
【００９７】
ＯＮキーＫ１７が押されると、表示制御部９は、全点灯モードと同様に、図９における上から３段目に示すように、集約数設定領域Ｆ３を液晶パネル７に表示させる。しかし、表示制御部９は、可視領域Ｆ１内にＯＮキーＫ１７とＯＦＦキーＫ１８と集約数設定領域Ｆ３が収まるように表示させる。具体的に、表示制御部９は、全点灯モードとは位置を若干ずらしてＯＮキーＫ１７とＯＦＦキーＫ１８と集約数設定領域Ｆ３を液晶パネル７に表示させる。
【００９８】
即ち、表示装置（操作パネル１）は、液晶パネル７と、複数の光源を含む液晶パネル７のバックライト６と、を含み、バックライト６が発する光を用いて表示を行い、液晶パネル７の表示領域を、固定的に、光源の光を当てて表示内容を視認できるようにして用いる領域である可視領域Ｆ１と、光源の光を当てないようにして表示に用いない領域である非表示領域Ｆ２とに分けるように、複数の光源のうち、非表示領域Ｆ２を照らす一部の光源は消灯し、液晶パネル７は、可視領域Ｆ１で、画面、画像の表示を行う。
【００９９】
そして、例えば、図９における最下段の図に示すように、２ｉｎ１キーＫ１９が押されると、表示制御部９は、一部消灯モードでもレイアウト設定領域Ｆ４を液晶パネル７に表示させる。一方で、レイアウト設定領域Ｆ４を可視領域Ｆ１内に表示するため、表示制御部９は、既に設定がなされた集約数設定領域Ｆ３（キー表示領域）を消す。これにより、表示スペースを稼ぐ。
【０１００】
しかし、設定済みの設定キー（２ｉｎ１キーＫ１９と４ｉｎ１キーＫ２０）の表示を消し、レイアウト設定領域Ｆ４の表示位置をずらしても、可視領域Ｆ１内にレイアウト設定領域Ｆ４（キー表示領域）は表示しきれない。言い換えると、レイアウト設定領域Ｆ４全体を表示するには、液晶パネル７の左右方向における中心線を越える。このように、各種機能の設定画面を表示する上で、可視領域Ｆ１内に、設定キーを含むキー表示領域を表示しきれない場合がある。
【０１０１】
このような場合、表示制御部９は、臨時的に、点灯制御部６０に指示して、蛍光管６１Ｃを点灯させ、可視領域Ｆ１を広げる。即ち、可視領域Ｆ１では表示内容を表示しきれないとき、複数の光源のうち、非表示領域Ｆ２を照らす一部又は全部の光源が点灯し、液晶パネル７は、広げられた可視領域Ｆ１で、画面、画像の表示を行う。これにより、表示すべき内容（画像）は、欠けることなく表示される。尚、例えば、左→右キーＫ２１や右→左キーＫ２２が押され、メニュー画面Ｓ２に戻る場合、表示制御部９は、点灯制御部６０に指示を与え、蛍光管６１Ｃを消灯させ、可視領域Ｆ１を元に戻す。このように、一部消灯モードでも、全点灯モードと同様のキーやキー表示領域が表示される。従って、使用者は液晶パネル７の表示領域の一部が非表示でも、違和感なく操作、設定を行える。
【０１０２】
（表示制御）
次に、図１０を用いて、本発明の第１の実施形態に係る操作パネル１での表示制御の一例を説明する。図１０は、本発明の第１の実施形態に係る操作パネル１での表示制御の一例を示すフローチャートである。尚、本説明では、１つの設定項目（機能）を選択し、１つの設定項目（機能）の設定を終えるまでの流れの一例を説明する。
【０１０３】
まず、図１０のスタートは、設定を行うため、使用者がコピーキー１４や送信キー１５などが押されたことをトリガとして、メニュー画面Ｓ２を表示しようとする時点である。例えば、コピーキー１４が押されると、表示制御部９は、コピーに関する設定項目を示すキーをメニュー画面Ｓ２に表示させる。例えば、送信キー１５が押されると、表示制御部９は、スキャンやＦＡＸに関する設定項目を示すキーをメニュー画面Ｓ２に表示させる。
【０１０４】
そして、メニュー画面Ｓ２を表示するとき、点消灯設定画面Ｓ１でなされた設定どおりに各光源を点消灯させるため、表示制御部９は、メモリ９１の記憶内容を確認し、光源の点消灯設定が、一部消灯モード（一部の光源を消灯）で表示を行う設定と成っているかを確認する（ステップ♯１）。
【０１０５】
もし、全点灯モードで表示を行う設定であれば（ステップ♯１のＮｏ）、表示制御部９は、点灯制御部６０に指示を与え、光源を全点灯状態とし、通常のメニュー画面Ｓ２を液晶パネル７に表示させる（ステップ♯２）。一方、一部消灯モードで表示を行う設定であれば（ステップ♯１のＹｅｓ）、表示制御部９は、点灯制御部６０に指示を与え、光源の一部を消灯させた状態とし、一部消灯モードでメニュー画面Ｓ２を液晶パネル７に表示させる（ステップ♯３）。
【０１０６】
そして、使用者により設定を行う設定項目（機能）が選択される（押される）ことにより、表示制御部９は、設定されたモードにあわせ、選択された設定項目の設定画面を液晶パネル７に表示させる（ステップ♯４、ステップ♯５）。
【０１０７】
全点灯モードの場合（ステップ♯４）、液晶パネル７の全領域に光が照射されるので、押されたキーに従い、設定キーやキー表示領域の表示を行えばよい（ステップ♯６）。そして、最終的に、表示制御部９は、選択された設定項目（機能）に設定完了を認識する（ステップ♯７。例えば、スタートキー１２が押されたことや、選択した設定項目に関する設定値を全て設定し終えたことを認識。以下、同様）。
【０１０８】
一方、一部消灯モードの場合（ステップ♯５）、液晶パネル７の全領域では表示を行えないので、表示制御部９は、キー表示領域が可視領域Ｆ１に収まるかを確認する（ステップ♯８）。もし、可視領域Ｆ１に収まらない場合（ステップ♯８のＮｏ）、表示制御部９は、点灯制御部６０に指示を与え、キー表示領域（キー群）を表示できるように、可視領域Ｆ１を拡大させる（ステップ♯９）。そして、表示制御部９は、各種キーや、キー表示領域を表示させる（ステップ♯１０）。一方、可視領域Ｆ１に収まれば（ステップ♯８のＹｅｓ）、可視領域Ｆ１を拡大することなくキー表示領域を表示させる（ステップ♯１０）。
【０１０９】
そして、表示制御部９は、選択された設定項目（機能）の設定が完了したかを確認する（ステップ♯１１）。もし、設定が完了していなければ（ステップ♯１１のＮｏ）、表示制御部９は、可視領域Ｆ１を設定通りに戻すとともに、設定済みのキー表示領域の表示を消させ、次のキー表示領域を表示させる（ステップ♯１２）。そして、ステップ♯８に戻る。一方、設定完了ならば（ステップ♯１１のＹｅｓ）、１つの設定項目（機能）の設定における表示制御は終了する（エンド）。
【０１１０】
この後、使用者により、必要に応じて他の設定項目（機能）の設定がなされる（本フローの再実行）。又、スタートキー１２が押されると、例えば、操作パネル１から本体の制御部８に向けて送信された設定内容に基づき、制御部８は、コピーや送信を制御する。
【０１１１】
このようにして、本発明の第１の実施形態の構成によれば、液晶パネル７の表示領域を固定的に光源の光を当てて表示内容を視認できるようにして用いる領域である可視領域Ｆ１と、固定的に光源の光を当てないようにして表示に用いない領域である非表示領域Ｆ２に分けるように、複数の光源のうち、非表示領域Ｆ２を照らす一部の光源は消灯する。これにより、液晶パネル７の表示領域のうち、一部の領域に対応するバックライト６は、消灯状態で維持される（固定される）。従って、確実に画像形成装置での消費電力の低減し、高い省エネ効果を得ることができる。
【０１１２】
又、指定された大きさに応じ、光源のうち、非表示領域Ｆ２を照らす一部の光源は消灯する。これにより、液晶パネル７の表示領域のうち、どれほどの領域に対して、バックライト６の光源を点灯させ、表示に使用するかを使用者が定めることができる。従って、使用者が求める表示装置（操作パネル１）における表示の視認性と省エネ効果の兼ね合いに基づき、画面、画像を表示する領域を定めることができ、自由度が高い。又、入力部（タッチパネル部１１等）は、光源を消灯せず、液晶パネル７の表示領域全体を可視領域Ｆ１とするか、あるいは、一部の光源を消灯して液晶パネル７の表示領域のうち、１／ｎ（ｎは自然数）の領域を可視領域Ｆ１又は非表示領域Ｆ２とするかを選択する選択入力を受け付ける。これにより、液晶パネル７の表示領域全体を活用するか、一部の領域でのみ表示を行わせて省電力効果を得るかを選択することができる。
【０１１３】
又、可視領域Ｆ１では表示内容を表示しきれないとき、複数の光源のうち、非表示領域Ｆ２を照らす一部又は全部の光源が点灯し、液晶パネル７は、広げられた可視領域Ｆ１で画面、画像の表示を行う。これにより、可視領域Ｆ１だけでは表示しきれない場合、自動的に可視領域Ｆ１が広げられて画面、画像の表示が行われる。従って、使用者が設定などの入力を行う上での操作性、わかりやすさの低下を防ぐことができる。又、液晶パネル７の表示領域のうち、半分の領域を固定的に非表示領域Ｆ２とするように、非表示領域Ｆ２を照らす一部の光源は、消灯する。これにより、バックライト６の全光源を点灯させた場合の消費電力に対し、消費電力を５０％程度は、低減される。又、液晶パネル７のうち、１／２の領域は可視領域Ｆ１として確保できるので、画面、画像を表示も十分に行える。又、省エネ効果の高い表示装置（操作パネル１）を含むので、消費電力が低減された画像形成装置を提供することができる。
【０１１４】
（第２の実施形態）
次に、図１１及び図１２を用いて、本発明の実施形態に係る操作パネル１を説明する。図１１は、本発明の第２の実施形態に係る一部消灯モードでの設定画面の表示の一例を示す。図１２は、本発明の第１の実施形態に係る操作パネル１での表示制御の一例を示すフローチャートである。
【０１１５】
第１の実施形態では、一部の光源を消灯状態で維持し、一部の表示領域を固定的に非表示領域Ｆ２とする例を説明した。第２の実施形態では、バックライト６に含まれる光源のうち、設定キーや、設定キーを含むキー表示領域に光を照射する光源のみ点灯させる例を説明する。尚、蛍光管６１を用いて実現することは不可能ではないが、第２の実施形態では、図５（ｂ）に示すような、液晶パネル７直下に複数のＬＥＤ６３を配したバックライト６を用いるものとして説明する。
【０１１６】
尚、以下に述べる差異点以外の点に関しては、第１の実施形態と同様でよく、第１の実施形態と共通する点については、説明、図示を省略する。
【０１１７】
例えば、本実施形態の操作パネル１でも、従来のようにバックライト６に含まれるＬＥＤ６３を全て点灯させる全点灯モードと、設定キーや、キー表示領域に光を照射する光源のみ点灯させる一部消灯モードを選択する入力が行える。即ち、表示装置（操作パネル１）は、設定入力を受け付けるための入力部（タッチパネル部１１等）を有し、入力部に対する入力により、設定がなされたキー表示領域を照らす一部の光源は消灯する。具体的には、入力部は、光源を消灯せず、液晶パネル７の表示領域全体を光源に照らさせるか、あるいは、設定キーやキー表示領域以外の領域を照射する光源を消灯するか、を選択する選択入力を受け付け、複数の光源は、選択入力に応じて、点灯又は消灯する。そして、選択されたモードは、例えば、メモリ９１に記憶され、表示制御部９は、選択されたモードに応じ、点灯制御部６０に指示して、各光源の点消灯を制御する。
【０１１８】
例えば、バックライト６に含まれるそれぞれのＬＥＤ６３と、各ＬＥＤ６３が照射する画素群の位置（座標）との対応関係を示すデータをメモリ９１に記憶しておく。そして、表示制御部９は、液晶パネル７に表示させる画像、画面の画像データにおける設定キーや、キー表示領域の範囲を把握する。そして、表示制御部９は、設定キーやキー表示領域を照らすＬＥＤ６３を特定し、特定したＬＥＤ６３を点灯させるように点灯制御部６０に指示を与える。
【０１１９】
あるいは、点灯させるＬＥＤ６３を示すデータを、各種設定画面やメニュー画面Ｓ２の画像データに予め付しておき、付されたデータに基づき、表示制御部９は、点灯制御部６０に指示を与えてもよい。
【０１２０】
次に、図１１を用い、本発明の第２の実施形態に係る操作パネル１での設定画面の表示の一例を説明する。尚、本説明でも、第１の実施形態と同様に、コピー機能における集約機能の設定項目の設定画面を例に挙げて説明する。又、第２の実施形態での全点灯モードでの表示は、図８を用いて説明したものと同様であり、説明を省略する。
【０１２１】
図１１は、光源（ＬＥＤ６３）の一部を消灯する設定がなされた場合（一部消灯モードの設定がなされた場合）の集約機能の設定画面の遷移を示す。図１１のうち、最上段に示す画面は、設定項目を選択するメニュー画面Ｓ２である。例えば、コピーキー１４が押されると、表示制御部９は、全点灯モードと同様、メニュー画面Ｓ２を液晶パネル７に表示させる。メニュー画面Ｓ２には、全点灯モードと同様、集約の設定項目の設定開始を指示するための集約キーＫ１６や上矢印キーＫ１６１や下矢印キーＫ１６２等の設定キーが設けられる。ただし、全点灯モードとは異なり、表示制御部９は、設定キー部分を照射する光源（ＬＥＤ６３）のみを点灯させる点で異なる。これにより、キー部分は使用者に視認される。
【０１２２】
メニュー画面Ｓ２で集約キーＫ１６が押下されると、表示制御部９は、図１１における上から２段目の集約設定画面Ｓ３を液晶パネル７に表示させる。集約設定画面Ｓ３では、全点灯モードと同様に、一部消灯モードでも、設定キーとしてのＯＮキーＫ１７とＯＦＦキーＫ１８が表示される。ただし、全点灯モードとは異なり、表示制御部９は、ＯＮキーＫ１７とＯＦＦキーＫ１８部分を照射する光源（ＬＥＤ６３）のみを点灯させる。
【０１２３】
ＯＮキーＫ１７が押されると、表示制御部９は、図１１における上から３段目に示すように、キー表示領域としての集約数設定領域Ｆ３を液晶パネル７に表示させる。この集約数設定領域Ｆ３は、複数の設定キー（２ｉｎ１キーＫ１９と４ｉｎ１キーＫ２０）を含む。一部消灯モードでは、表示制御部９は、集約数設定領域Ｆ３を照射する光源（ＬＥＤ６３）を点灯させ、他の部分は、消灯する点で異なる。
【０１２４】
そして、例えば、２ｉｎ１キーＫ１９が押されると、図１１における最下段の図に示すように、表示制御部９は、キー表示領域としてのレイアウト設定領域Ｆ４を液晶パネル７に表示させる。一部消灯モードでは、表示制御部９は、レイアウト設定領域Ｆ４を照射する光源（ＬＥＤ６３）を点灯させる。しかし、既に設定がなされた集約数設定領域Ｆ３を照射する光源（ＬＥＤ６３）を消灯させる。これにより、操作に不要な部分（領域）を照らす光源は消され、省電力を図ることができる。
【０１２５】
即ち、表示装置（操作パネル１）は、液晶パネル７と、複数の光源を含む液晶パネル７のバックライト６と、を含み、バックライト６が発する光を用いて表示を行うものであって、液晶パネル７は、設定キーや、設定画面における設定キーを含む領域であるキー表示領域の表示を行い、液晶パネル７の表示領域のうち、設定キーやキー表示領域を照らす一部の光源は点灯し、設定キーやキー表示領域以外の領域を照らす一部の光源は消灯する。
【０１２６】
（表示制御）
次に、図１２を用いて、本発明の第２の実施形態に係る操作パネル１での表示制御の一例を説明する。図１２は、本発明の第２の実施形態に係る操作パネル１での表示制御の一例を示すフローチャートである。尚、本実施形態の説明でも、１つの設定項目（機能）を選択し、１つの設定項目（機能）の設定を終えるまでの流れの一例を説明する。
【０１２７】
まず、図１２のスタートは、コピーキー１４や送信キー１５などが押されたことにより、表示制御部９が設定項目を選択するためのメニュー画面Ｓ２を表示させようとする時点である。メニュー画面Ｓ２を表示するとき、設定に従いバックライト６の各光源を点消灯させるため、表示制御部９は、メモリ９１の記憶内容を確認し、光源の点消灯設定が、一部消灯モードで表示を行う設定となっているかを確認する（ステップ♯２１）。
【０１２８】
もし、全点灯モードで表示を行う設定であれば（ステップ♯２１のＮｏ）、表示制御部９は、点灯制御部６０に指示を与え、光源を全点灯状態とし、通常表示のメニュー画面Ｓ２を液晶パネル７に表示させる（ステップ♯２２）。一方、一部消灯モードで表示を行う設定であれば（ステップ♯２１のＹｅｓ）、表示制御部９は、点灯制御部６０に指示を与え、光源の一部を消灯させた状態とし、一部消灯モードのメニュー画面Ｓ２を表示させる（ステップ♯２３）。このとき、本実施形態では、キー表示領域を照射するＬＥＤ６３のみが点灯する。
【０１２９】
そして、使用者により設定を行う設定項目（機能）が選択される（押される）ことにより、表示制御部９は、設定されたモードにあわせ、選択された設定項目の設定画面（例えば、集約設定画面Ｓ３）を液晶パネル７に表示させる（ステップ♯２４、ステップ♯２５）。
【０１３０】
全点灯モードの場合（ステップ♯２４）、液晶パネル７の全領域に光が照射されるので、押されたキーに従い、設定キーやキー表示領域の表示を行えばよい（ステップ♯２６）。そして、最終的に、表示制御部９は、選択された設定項目（機能）の設定完了を認識する（ステップ♯２７）。
【０１３１】
一方、一部消灯モードの場合（ステップ♯２５）、まず、表示制御部９は、設定キーやキー表示領域を照らす光源を点灯させる（ステップ♯２８）。次に、表示制御部９は、選択された設定項目（機能）の設定が完了したかを確認する（ステップ♯２９）。もし、設定が完了していなければ（ステップ♯２９のＮｏ）、表示制御部９は、設定済みのキー表示領域を照らす光源を消灯させ、次に表示されるキー表示領域を照らす光源を点灯させる（ステップ♯３０）。そして、ステップ♯２９に戻る。一方、設定完了ならば（ステップ♯２９のＹｅｓ）、１つの設定項目（機能）の設定における表示制御は終了する（エンド）。
【０１３２】
このようにして、本発明の第２の実施形態の構成によれば、液晶パネル７の表示領域のうち、設定キーやキー表示領域を照らす一部の光源は点灯し、設定キーやキー表示領域以外の領域を照らす一部の光源は消灯する。これにより、不要部分を照らす光源は消灯され、消費電力の低減を図ることができる。更に、操作を行う上で、必要な部分（キー表示領域）を使用者に視認させることもできる。従って、操作、設定入力のしやすさを損なうことなく省エネ効果を得ることができる。
【０１３３】
又、入力部（タッチパネル部１１等）に対する入力により、設定がなされたキー表示領域を照らす一部の光源は消灯する。これにより、設定済みのキー表示領域を照らす光源は消灯され、省エネ効果を得ることができる。又、未設定のキー表示領域を照らす光源は点灯し、未設定のキー表示領域は視認されるので設定ができること、設定がなされていないことが示されることになる。言い換えると次の操作、入力に必要なキーや画像を示すことができる。又、入力部（タッチパネル部１１等）は、光源を消灯せず、液晶パネル７の表示領域全体を光源に照らさせるか、あるいは、キー表示領域以外の領域を照射する光源を消灯するか、を選択する選択入力を受け付ける。これにより、液晶パネル７の表示領域全体を活用するか、一部の領域のみ可視状態として省電力効果を得るかを選択することができる。
【０１３４】
本発明の実施形態を説明したが、本発明の範囲はこれに限定されるものではなく、発明の主旨を逸脱しない範囲で種々の変更を加えて実施することができる。
【産業上の利用可能性】
【０１３５】
本発明は、バックライト６や液晶パネル７を含む表示装置や、表示装置を含む画像形成装置に利用可能である。
【符号の説明】
【０１３６】
１      操作パネル（表示装置）      １１    タッチパネル部（入力部）
５      液晶表示部                  ６      バックライト
６１    蛍光管（光源）              ６１Ａ  蛍光管（光源）
６１Ｂ  蛍光管（光源）              ６１Ｃ  蛍光管（光源）
６１Ｄ  蛍光管（光源）              ６３    ＬＥＤ
７      液晶パネル                  １００  複合機（画像形成装置）
Ｆ１    可視領域                    Ｆ２    非表示領域
Ｆ２    集約数設定領域（キー表示領域）
Ｆ４    レイアウト設定領域（キー表示領域）
【図１】
0005427734.tif 000002
【図２】
0005427734.tif 000003
【図３】
0005427734.tif 000004
【図４】
0005427734.tif 000005
【図５】
0005427734.tif 000006
【図６】
0005427734.tif 000007
【図７】
0005427734.tif 000008
【図８】
0005427734.tif 000009
【図９】
0005427734.tif 000010
【図１０】
0005427734.tif 000011
【図１１】
0005427734.tif 000012
【図１２】
0005427734.tif 000013